(57)【要約】【課題】  複数の洗浄ノズルから洗浄水を噴射して食器の洗浄を行う食器洗い機において、１つの洗浄ポンプで複数の洗浄ノズルから選択的に洗浄水を噴射できるようにし、コストアップや機器全体の大型化を最小限に抑え、低騒音化と節水を実現するとともに、分岐させる最適のパターンを明確にする。【解決手段】  食器類７を洗浄する洗浄槽１３の内部に、食器類７を洗浄する洗浄水を噴射する複数の洗浄ノズル１４、１５、１９、２０を配設し、これら洗浄ノズル１４、１５、１９、２０に対する洗浄水の送給を選択する切換装置を設け、切換装置により洗浄水を噴射する洗浄ノズルを切り換えて、下面左噴射、下面右噴射、背面右噴射、背面左噴射の４パターンを順番に繰り返しながら順に洗浄水を噴射していくように構成した。【選択図】      図１
2005342319.tif 000002
【特許請求の範囲】
【請求項１】
食器類を洗浄する洗浄槽の内部に、食器類を洗浄する洗浄水を噴射する複数の洗浄ノズルを配設し、洗浄水を噴射する洗浄ノズルを選択する切換装置を設け、切換装置により洗浄水を噴射する洗浄ノズルを切り換え、下面左噴射、下面右噴射、背面右噴射、背面左噴射の４パターンを順番に繰り返しながら順に洗浄水を噴射していくように構成したことを特徴する食器洗い機。
【請求項２】
背面右噴射と背面左噴射を行う洗浄ノズルを洗浄槽背面に一体的に固定したことを特徴とする請求項１記載の食器洗い機。
【請求項３】
洗浄槽背面の洗浄槽天面付近に洗浄ノズルを固定して設け、背面右噴射または背面左噴射時に同時に天面近傍からも噴射を行うよう構成したことを特徴とする請求項２記載の食器洗い機。
【発明の詳細な説明】
【技術分野】
【０００１】
本発明は、洗浄ノズルより食器類に向けて洗浄水を噴射して食器類を洗浄する食器洗い機に関するものである。
【背景技術】
【０００２】
従来、この種の食器洗い機は図５及び図６に示すように構成されていた。以下、その構成について説明する。図５及び図６に示すように、食器洗い機１は、内部に洗浄槽２を設けており、この洗浄槽２の底部に排水孔３を設け、この排水孔３の他側部に連通したポンプ室にモータ４によって駆動される洗浄ポンプ５を取り付け、この洗浄ポンプ５により洗浄水を洗浄槽２の内部に循環するように構成している。この循環は、洗浄水が排水孔４から洗浄ポンプ５に吸い込まれ、洗浄ポンプ５より洗浄槽２の内底部に設けられた洗浄ノズル６に供給され、この洗浄ノズル６から噴射され、食器類７を洗浄した後、再び排水孔４に戻るという経路で行われる。
【０００３】
洗浄ノズル７と洗浄槽２の底部との間には、洗浄水加熱用のヒータ８が装備されている。また、洗浄ノズル７の上方には、食器類７を整然と配置でき、洗浄水を効果的に食器類７に噴射するように構成した食器かご９を設置して効率的に洗浄を行っている。
【０００４】
また、洗浄槽２は前方に開口しており、その前面部には、前方に開閉自在とした蓋１０を取り付けている。排水ポンプ１１は、排水ホース１２を通して洗浄水を機外に排出するものである（例えば、特許文献１参照。）。
【０００５】
また、他の従来例として、基本的な構成は上記従来例と同じで、洗浄ポンプと複数の洗浄ノズルとを連結する流水経路の途中に、洗浄水を噴射する洗浄ノズルを選択する切換弁を洗浄槽の下部に設けた構成のものもある（例えば、特許文献２参照。）。
【特許文献１】特開平９−１０３４０２号公報
【特許文献２】特開２００１−２１８７２１号公報
【発明の開示】
【発明が解決しようとする課題】
【０００６】
しかしながら、上記従来の食器洗い機では、複数の洗浄ノズル６から同時に水が噴射されるため、騒音が大きく、かつ洗浄槽２内に溜められる洗浄水が大量に必要であるという問題があった。
【０００７】
また、切換弁を洗浄槽１下部に設けた構成のものにおいては、切り換える洗浄ノズルの数が少ないと、分岐させる効果が少なくなり、切り換える洗浄ノズルの数が多いと、配管が多くなり、配管内の滞留水という無駄な水が増えてしまうとともに、洗浄運転時間内において、洗浄槽内の端に載置された食器類に洗浄水がかかる積算時間が短かくなるという問題を有していた。
【０００８】
本発明は、前記従来の課題を解決するもので、１つの洗浄ポンプで複数の洗浄ノズルから選択的に水を噴射できるようにし、コストアップや機器全体を大型化せずに、低騒音化と節水を実現するとともに、分岐させる最適のパターンを明確にすることを目的としている。
【課題を解決するための手段】
【０００９】
本発明の食器洗い機は、食器類を洗浄する洗浄槽の内部に、食器類を洗浄する洗浄水を噴射する複数の洗浄ノズルを配設し、洗浄水を噴射する洗浄ノズルを選択する切換装置を設け、切換装置により洗浄水を噴射する洗浄ノズルを切り換え、下面左噴射、下面右噴射、背面右噴射、背面左噴射の４パターンを順番に繰り返しながら順に洗浄水を噴射していくように構成したものである。
【００１０】
この構成によると、１つの洗浄ポンプで複数の洗浄ノズルから選択的に水を噴射させることができ、コストアップや機器全体の大型化を最小限に抑えつつ、低騒音化と節水化を実現できるとともに、洗浄槽内の食器類を最小の分岐数でまんべんなく洗うことができる食器洗い機を提供することができる。
【００１１】
また、背面右噴射と背面左噴射を行う洗浄ノズルを洗浄槽背面に一体的に固定すると、簡単な構成にて洗浄槽内の食器類を最小の分岐数でまんべんなく洗うことができる食器洗い機を実現することができる。
【００１２】
また、洗浄槽背面の洗浄槽天面付近に洗浄ノズルを固定して設け、背面右噴射または背面左噴射時に同時に天面近傍からも噴射を行うよう構成すると、最小の分岐数を維持しつつ、洗浄槽内の食器類をまんべんなく洗うことができ、簡単な構成でより洗浄効果の高い食器洗い機を実現することができる。
【発明の効果】
【００１３】
本発明の食器洗い機は、下面左噴射、下面右噴射、背面右噴射、背面左噴射の順番に４パターンを繰り返しながら、順に洗浄水を噴射していくように構成したことにより、１つの洗浄ポンプで複数の洗浄ノズルから選択的に水を噴射させることができ、コストアップや機器全体が大型化を最小限に抑えつつ、低騒音化と節水を実現できるとともに、洗浄槽内の食器類を最小の分岐数でまんべんなく洗うことができる。
【発明を実施するための最良の形態】
【００１４】
以下、本発明の食器洗い機の一実施形態について、図１〜図４を参照しながら説明する。なお、食器洗い機の全体構成は、図５、図６を参照して説明した従来例と同一であり、同じ構成要素には同一参照符号を付して説明を省略する。また、本発明はこの実施形態に限定されるものではない。
【００１５】
図１、図２において、本実施形態の食器洗い機においては、食器洗い機１の内部に設けられた洗浄槽１３の底部に、洗浄水を噴射しながら回転する下面左回転洗浄ノズル１４と下面右回転洗浄ノズル１５が配設され、食器かご９の左半分と右半分にそれぞれ下面から洗浄水を噴射するように構成されている。
【００１６】
また、洗浄槽１３の背面の左右方向略中央部には背面から洗浄水を噴射する背面固定ノズル１６が固定して配設されている。背面固定ノズル１６は、図３に示すように、内部が左通水路１７と右通水路１８に分かれ、それぞれ上下方向中間部で左右に水平方向に延設された背面左洗浄ノズル１９と背面右洗浄ノズル２０に連通されている。また、背面固定ノズル１６は上部が洗浄槽１３の天面付近にまで延長され、天面近傍にも左通水路１７又は右通水路１８に連通させて天面近傍洗浄ノズル２１が設けられている。
【００１７】
洗浄ポンプ５の吐出口は切換装置２２に接続され、この切換装置２２を介して下面左回転洗浄ノズル１４と下面右回転洗浄ノズル１５と背面固定ノズル１６の左通水路１７と右通水路１８に所定の順番で順次連通するように構成されている。
【００１８】
次に、以上の構成における動作を説明する。食器かご９に食器類７を配置して洗浄槽１３内に収容し、運転を開始すると、給水弁（図示せず）が開き、洗浄槽１３内に所定量給水した後、洗浄ポンプ５を駆動する。これにより洗浄ポンプ５で加圧された洗浄水が切換装置２２へ送られる。切換装置２２は、下面左回転洗浄ノズル１４、下面右回転洗浄ノズル１５、背面固定ノズル１６の右通水路１８、背面固定ノズル１６の左通水路１７に順番に切り換えて洗浄水を送給し、その結果下面左回転洗浄ノズル１４、下面右回転洗浄ノズル１５、背面右洗浄ノズル２０、背面左洗浄ノズル１９からの噴射の４パターンの噴射が順番に繰り返される。
【００１９】
切換装置１９における切り換えは３０秒ごとに行うように構成されており、２分ごとに元の噴射位置へ戻ることになり、洗浄槽１３内の端に載置された食器類に洗浄水がかかる積算時間が短かくなるということはない。また、４パターンの繰り返しにしたので、配管内の滞留水という無駄な水を最小限に抑えている。
【００２０】
また、背面右噴射と背面左噴射を行う背面固定ノズル１６を、洗浄槽１３背面に一体的に固定したことにより、簡単な構成にて洗浄槽１３内の食器類７を最小の分岐数でまんべんなく洗うことができる食器洗い機を実現することができる。
【００２１】
洗浄槽１３の背面に固定された背面固定ノズル１６は、その上部が洗浄槽１３天面付近に延長され、背面右噴射時に、同時に天面近傍の天面近傍洗浄ノズル２１からも噴射するようにしているので、洗浄槽１３内の食器類７のうち、特に上方に載置された食器類７をまんべんなく洗うことができる。
【００２２】
なお、切り換えのパターンは、上述したものとは逆に、背面左洗浄ノズル１９、背面右洗浄ノズル２０、下面右回転洗浄ノズル１５、下面左回転洗浄ノズル１４の順番にしても同様の効果が得られることは言うまでもない。
【産業上の利用可能性】
【００２３】
本発明は、１つの洗浄ポンプで複数の洗浄ノズルから選択的に水を噴射させることで、コストアップや機器全体を最小限に抑え、低騒音化と節水を実現することができるとともに、洗浄槽内の食器類を最小の分岐数でまんべんなく洗うことができ、食器洗い機に有効に利用できる。
【図面の簡単な説明】
【００２４】
【図１】本発明の一実施形態の食器洗い機を正面から見た断面図である。
【図２】同食器洗い機の側断面図である。
【図３】同食器洗い機の背面固定ノズルの正面図である。
【図４】同背面固定ノズルの側断面図である。
【図５】従来の食器洗い機の正面から見た断面図である。
【図６】従来の食器洗い機の側断面図である。
【符号の説明】
【００２５】
１  食器洗い機
１３  洗浄槽
１４  下面左回転洗浄ノズル
１５  下面右回転洗浄ノズル
１６  背面固定ノズル
１９  背面左洗浄ノズル
２０  背面右洗浄ノズル
２１  天面近傍洗浄ノズル
２２  切換装置
【図１】
2005342319.tif 000003
【図２】
2005342319.tif 000004
【図３】
2005342319.tif 000005
【図４】
2005342319.tif 000006
【図５】
2005342319.tif 000007
【図６】
2005342319.tif 000008